(57)【特許請求の範囲】
【請求項１】
ベッド上の加工槽内のテーブル上に、荒加工用の標準線径のワイヤ電極と仕上げ加工用の前記標準線径よりも細い細線径のワイヤ電極とを、水平面内の一軸に対して平行に所定の間隔で、かつ、加工槽内のテーブル上面から所定の高さ位置離隔して加工液に浸漬状態で軸方向に走行させるように張架して２つの放電加工部位を形成させる各一対のワイヤ電極位置決めガイドを有し、さらに該各一対のワイヤガイド中の各一方のワイヤガイドが、前記水平面と直交する鉛直軸方向と、該鉛直軸および加工部位ワイヤ電極軸と直交する水平軸方向とに、夫々位置調整可能に前記テーブル上に調整ステージを介して取付けられている走行経路形成手段と、
ワイヤ電極の供給手段と引取手段とを標準ワイヤ電極と細線ワイヤ電極とで夫々ユニット化するとともに、夫々が、加工槽内のワイヤ電極走行経路形成手段をワイヤ電極軸方向の加工槽外から挟むように別かれては配置され、さらに、各ユニットに於いて、ワイヤ供給手段から前記走行経路形成手段に一端側から送り出されたワイヤ電極が、走行経路上の他端側に於いて折返し走行させられ、前記一端側の引取手段により引取り回収される前記標準ワイヤ電極と細線ワイヤ電極の各供給手段と引取手段と、
前記標準ワイヤ電極と細線ワイヤ電極との２つの放電加工部位の軸線に対して直交する水平軸方向に移動するラムと、
該ラムに載置される、前記放電加工部位の軸線に対して直交する鉛直加工移動軸を有する加工ヘッドと、
該加工ヘッドの軸端に設置される、被加工体を着脱自在に懸垂把持する保持手段と、
前記加工ヘッドに内蔵され、該加工ヘッドを前記テーブルに対して相対的に旋回・割出し制御する旋回・割り出し装置と、
前記標準ワイヤ電極と細線ワイヤ電極の夫々を、予め各供給手段から走行経路形成手段、及び引取手段を介して張架した状態にしておいて、前記被加工体を前記標準ワイヤ電極と細線ワイヤ電極とに順次に相対向させて所望の放電荒加工と仕上げ加工とを行なう段階に移行させる制御装置を備えたことを特徴とするワイヤ放電加工装置。
【請求項２】
前記加工槽が前記ベッドに固定して設けられると共に、前記加工ヘッドが鉛直軸方向に加えて水平面内の直交２軸方向に移動する構成を備えて成るか、または、前記加工槽が前記標準ワイヤ電極と細線ワイヤ電極との放電加工部位の軸線に沿った水平面内の１軸方向に沿って移動するとともに、前記ラムが水平面内の他の直交１軸方向に移動する構成を備えて成ることを特徴とする請求項１に記載のワイヤ放電加工装置。
【請求項３】
前記細線ワイヤ電極の前記供給手段と引取手段とを前記テーブルに連結して固定した構成に設け、または、更に前記供給手段と引取手段とを一体としてワイヤ電極の走行経路上の一方の端部側に於てテーブルに連結固定して設けられると共に、前記ワイヤ電極供給手段から前記走行経路形成手段に送り出されたワイヤ電極が走行経路上の他端側に於て折返して走行させられ、前記一端側の前記引取手段により引取り回収される構成に設けられて成るものであることを特徴とする請求項１、または２に記載のワイヤ放電加工装置。
【発明の詳細な説明】
【０００１】
【発明の属する技術分野】
本発明は、例えば角型コネクタ等のプラスチックス成形体を射出成形により製作する際の金型に用いられるコアピンの如き、微細な寸法形状と高い加工精度が要求される多数の加工を、確実で高速で行なうことができるワイヤ放電加工方法、及びそのような加工方法を効率よく実施するのに適合した構成を有するワイヤ放電加工装置に関する。
【０００２】
【従来の技術】
図８Ａは、前述の金型のコアピンとして最も典型的なコアピンの斜視図で、以下斯種のコアピンについて説明するが、コアピンとしては同図８Ｂ及びＣの如き形状物の場合もあり、以下の本発明は之等のコアピンをも対象に包含しているものである。   図８Ａのようなコアピンの場合、薄板状の胴部１１Ｂの１端縁に長さＬ対幅Ｄの比（Ｌ／Ｄ）が大きいピン１１−１，１１−２，…１１−ｎが前記端縁に沿い、胴部１１Ｂ板面と平行に櫛歯状に列設された構成を有するが、該コアピンは、表面が面粗度０．５μｍＲｍａＸ、全長が５μｍ以内、全幅が±３μｍ以内の寸法精度、そして５μｍ以内の形状精度を有すると共に、１．５μｍ以内の厚さ精度が要求され、かつピン１１−１，１１−２，…１１−ｎの胴部１１Ｂ付根部の内角の半径Ｒ（インコーナＲ）は０．０５ｍｍ以下に仕上げることが要請される所から、ワイヤ放電加工機により加工して仕上げるには、細線により微細加工を加えて仕上げるべき加工物である。   即ち、上述のような微細な寸法・形状精度が要求される所から、その仕上げ加工、特に内角の半径Ｒ部の加工には、従来通常の仕上げ加工の場合のように、単に放電パルスの微細化、微小エネルギ化などの電気的加工条件の切換設定だけでなく、更に工具としてのワイヤ電極として、ワイヤ径がφ０．２ｍｍ前後という標準サイズのワイヤ電極から、ワイヤ径がφ０．１ｍｍ乃至φ０．０５ｍｍ程度またはそれ以下の細線ワイヤ電極への切換が必須となる。
【０００３】
そして、斯種コアピンは図９の斜視図に示すように適宜直方体等の形状をしたチャック椢代１１Ａを有する被加工体の素材１１から、ワイヤ放電加工による先端面を含む各外周面加工の外形の成形仕上げ加工、コアピン部１１−１〜ｎに於ける溝１１Ｃの切込み加工による列状コア１１Ｄの形成加工、前記コア部から胴部１１Ｂにかけての切込み１１Ｅの加工を前記列方向に所定の微細間隔で順次に行なうことによる多数のコアピンの形成加工、そして通常別工程の形成された各コアピンを椢代部や結合部１１Ａから分離する切離し加工１１Ｆを順次に実行する加工を、多数個の被加工体素材に対し繰り返し行なうことになるから、相当に長時間の加工である。
このため、上述仕上げ加工に於て使用するワイヤ電極の線径、例えばφ０．０５ｍｍ前後の細線ワイヤ電極を加工開始から用い、放電加工の加工条件を中加工以下の仕上げ加工条件とする加工を、上述コアピン加工の全加工工程に適用することは、より長時間の加工を要し、加工効率が悪いことから採用されることはなく、上記仕上げ加工の際のワイヤ電極線径よりも太い、通常標準線径（φ０．２ｍｍ）のワイヤ電極を用い、加工条件を中加工以上の荒加工用の高速加工条件とする加工と、上記細線ワイヤ電極によるセカンドカット以後の仕上げ加工との少なくとも２段階またはそれ以上の加工工程に分けた加工によって行なわれるのが普通である。
【０００４】
【発明が解決しようとする課題】
ワイヤ放電加工の手順をこのようにすると、標準線径（通常φ０．２ｍｍ）のワイヤ電極を用いて前述外形成形加工、溝１１Ｃの切込みによる列状コア１１Ｄ形成加工、及び該コア部から胴部１１Ｂへかけての切込み１１Ｅ加工を高速荒加工で行なった後、ワイヤ電極を前述細線ワイヤ電極（φ０．１〜φ０．０５ｍｍまたはそれ以下）と交換して再び溝１１Ｃ及び切り込み１１Ｅを加工するが、このワイヤ電極の交換作業に多大の時間を要し、加工効率を低下させていた。ワイヤ放電加工機によっては、使用ワイヤ電極の交換装置を備えているものもあるが、通常極めて高価であると共に、実用上信頼性に乏しく、通常は、作業者が手作業で交換するシステムを採用することとなっているからである。そして、いずれにしても折角細線ワイヤ電極に交換しても、当該被加工体素材１１の仕上げ加工が終了した後は、パレットチェンジャやロボット等により交換された次の新しい被加工体の加工のために工具ワイヤ電極を元の標準線径のワイヤ電極に交換する必要があり、以下新しい被加工体の毎にこれを繰り返す必要があるからである。
【０００５】
また、通常型のワイヤ放電加工機は、鉛直Ｚ軸方向に間隔を置いて一対のワイヤガイドを配置してワイヤ電極をＺ軸方向に更新走行移動せしめ、之に対し前記ワイヤガイド間のワイヤ電極と直角に交差する水平なＸＹ２軸平面の載物台上に被加工体を配置し、前記ワイヤ電極と被加工体載物台とを前記水平面内の２軸方向に相対的に加工送り移動させる構成となっているから、前述図９で図示説明した素材１１の加工をするには、素材１１のコアピン部１１−１〜ｎ側先端をワイヤ電極に平面一軸方向から相対向するように載物台上縁部から突出横設させて所定部位の加工をすることになるが、前記外周各面や溝及び切断切込み等の各加工部位に対する加工の順序によっては、前記横設した素材１１を前記平面一軸の廻りに通常９０°順次に割出し回動させて加工を進めて行く必要があり、この素材１１の載物台上に於ける把持配置及び順次加工に際しての所定角度の旋回による割出し位置決め等を治具等を設けて行なわせる必要がある上、前述ワイヤ電極も標準線径のものから所望細線線径のものへの交換も必要であるから、高度な技術と熟練を要した。
【０００６】
ワイヤ電極を荒加工等の高速加工用の標準ワイヤ電極と、微細仕上げ等の仕上げ加工用の細線ワイヤ電極とに張替える手段を省くには、例えば、特開平６−１５５１６８号公報に記載開示されているように、ワイヤ電極による放電加工ステージを、Ｚ軸に互いに平行で、かつ所定既知の間隔を置いて２組並設し、夫々に所望異径のワイヤ電極を走行移動可能に張架させておき、ＸＹテーブルの載物台等に設けた被加工体を加工手順に従って、所定の放電加工ステージのワイヤ電極に相対向させて順次に加工を行なうようにすることが考えられるが、各ワイヤ電極の加工部がＺ軸に平行な鉛直方向に形成されている所から、前述被加工体の旋回・割出し等の設置及び位置決め加工治具等は依然必要で、該治具等を高価なシール仕様構造とする必要があると共に、加工時の、特に被加工体の交換には、特別な交換装置を必要とし、また交換時に加工槽から加工液を排出する必要があることから作業性等も高くし得ない等の問題があった。
【０００７】
そこで本発明は、上述の問題点を解消するもので、微細ピンの胴部の付根部に微細な内角の半径Ｒ部を有すると共に高い寸法・形状精度を有するコアピンのような加工形状の被加工体を短時間で大量に、効率よく、そして取扱い操作性を含めて作業性良く運転して加工できるワイヤ放電加工装置及びワイヤ放電加工方法を提供しようとするものである。
【０００８】
【課題を解決するための手段】
上記目的を達成するため、本発明のワイヤ放電加工装置（１）は、ベッド上の加工槽内のテーブル上に、荒加工用の標準線径のワイヤ電極と仕上げ加工用の前記標準線径よりも細い細線径のワイヤ電極とを、水平面内の一軸に対して平行に所定の間隔で、かつ、加工槽内のテーブル上面から所定の高さ位置離隔して加工液に浸漬状態で軸方向に走行させるように張架して２つの放電加工部位を形成させる各一対のワイヤ電極位置決めガイドを有し、さらに該各一対のワイヤガイド中の各一方のワイヤガイドが、前記水平面と直交する鉛直軸方向と、該鉛直軸および加工部位ワイヤ電極軸と直交する水平軸方向とに、夫々位置調整可能に前記テーブル上に調整ステージを介して取付けられている走行経路形成手段と、 ワイヤ電極ワイヤ電極の供給手段と引取手段とを標準ワイヤ電極と細線ワイヤ電極とで夫々ユニット化するとともに、夫々が、加工槽内のワイヤ電極走行経路形成手段をワイヤ電極軸方向の加工槽外から挟むように別かれては配置され、さらに、各ユニットに於いて、ワイヤ供給手段から前記走行経路形成手段に一端側から送り出されたワイヤ電極が、走行経路上の他端側に於いて折返し走行させられ、前記一端側の引取手段により引取り回収される前記標準ワイヤ電極と細線ワイヤ電極の各供給手段と引取手段と、
前記標準ワイヤ電極と細線ワイヤ電極との２つの放電加工部位の軸線に対して直交する水平軸方向に移動するラムと、
該ラムに載置される、前記放電加工部位の軸線に対して直交する鉛直加工移動軸を有する加工ヘッドと、
該加工ヘッドの軸端に設置される、被加工体を着脱自在に懸垂把持する保持手段と、
前記加工ヘッドに内蔵され、該加工ヘッドを前記テーブルに対して相対的に旋回・割出し制御する旋回・割り出し装置と、
前記標準ワイヤ電極と細線ワイヤ電極の夫々を、予め各供給手段から走行経路形成手段、及び引取手段を介して張架した状態にしておいて、前記被加工体を前記標準ワイヤ電極と細線ワイヤ電極とに順次に相対向させて所望の放電荒加工と仕上げ加工とを行なう段階に移行させる制御装置を備えたことを特徴とするワイヤ放電加工装置。
【０００９】
また、本発明の上記ワイヤ放電加工装置（１）は、更に、前記加工槽が前記ベッドに固定して設けられると共に、前記加工ヘッドが鉛直軸方向に加えて水平面内の直交２軸方向に移動する構成を備えて成るか、または、前記加工槽が前記標準ワイヤ電極と細線ワイヤ電極との放電加工部位の軸線に沿った水平面内の１軸方向に沿って移動するとともに、前記ラムが水平面内の他の直交１軸方向に移動する構成を備えて成ることを特徴とする。
【００１０】
また、本発明の上記ワイヤ放電加工装置（１）は、更に、前記細線ワイヤ電極の前記供給手段と引取手段とを前記テーブルに連結して固定した構成に設け、または、更に前記供給手段と引取手段とを一体としてワイヤ電極の走行経路上の一方の端部側に於てテーブルに連結固定して設けられると共に、前記ワイヤ電極供給手段から前記走行経路形成手段に送り出されたワイヤ電極が走行経路上の他端側に於て折返して走行させられ、前記一端側の前記引取手段により引取り回収される構成に設けられて成るものであることを特徴とする。
【００１１】
また、上記の目的を達成するため、本発明のワイヤ放電加工装置（２）は、走行移動するワイヤ電極と被加工体とが加工液の介在する微小間隙で間歇的な放電を繰り返し発生させて加工するワイヤ放電加工装置に於て、ベッド、コラム等から成る機械のフレームと、
前記フレームにＸ，Ｙ，Ｚの直交３軸方向に相対的に移動可能に設けられる、前記被加工体を懸垂把持する被加工体保持手段と、前記ワイヤ電極による加工部を形成する各一対のワイヤ電極の位置決めガイドが標準ワイヤ電極用と細線ワイヤ電極用との２組、前記加工部ワイヤ電極が水平一軸方向に平行に位置するように取り付けられたテーブルと、該テーブルを収納する加工槽と、
前記標準ワイヤ電極に所定の張力を付与させた状態で前記加工部を走行移動させるワイヤ電極の供給手段と引取手段と、該標準ワイヤ電極用の供給・引取手段の代わりに切換選択されて加工に供される前記細線ワイヤ電極用の供給手段と引取手段と、
前記標準ワイヤ電極加工部と保持手段の被加工体間に所望の荒加工の加工条件の加工放電電力を加工電源から供給する給電手段と、該高速加工用給電手段と切換選択可能に設けられる前記細線ワイヤ電極と被加工体間に所定仕上げ加工条件の加工放電電力を供給する給電手段と、
前記加工槽に制御された加工液を供給循環させる加工液供給手段と、
前記被加工体保持手段は、その軸線の方向が前記標準及び細線ワイヤ電極の放電加工部位の軸線と直交する鉛直軸上に設けられ、また前記被加工体保持手段が前記テーブルに対して、前記鉛直軸の廻りに旋回及び割出し可能に設けられる旋回・割出手段と、
前記被加工体に所望形状の加工を施すように加工の工程に於て選定された前記走行ワイヤ電極と前記被加工体との間に相対送りを行なわせる制御送り手段と、
前記加工放電電力の切換選択給電手段、加工液供給手段、及び前記被加工体保持手段と前記加工槽の選択されたワイヤ電極の位置決めガイド加工部間の前記旋回・割出しを含む相対送り手段、とを制御する数値制御装置を含む制御手段とから成ることを特徴とする。
【００１２】
また、本発明の上記ワイヤ放電加工装置（２）は、更に、前記標準ワイヤ電極と細線ワイヤ電極の両方または何れか一方の前記供給手段と引取手段とが、その加工部ワイヤ電極軸の一方の側に設けられ、該一方の側の供給手段から加工槽内加工部へ供給されたワイヤ電極が前記軸の他方の側の加工槽端部側に於て折返されて前記一方の側の引取手段により回収される走行経路が構成されて成るものであることを特徴とする。
【００１３】
また、本発明の上記ワイヤ放電加工装置（２）は、更に、前記標準ワイヤ電極の供給手段及び引取手段と、前記細線電極の供給手段及び引取手段とが、加工槽内加工部ワイヤ電極軸の両側端外に別れて設けられて成ることを特徴とする。
【００１４】
また、本発明の上記ワイヤ放電加工装置（２）は、更に、前記標準ワイヤ電極の供給手段と引取手段とが一体にユニット化されて機械フレームに連結して並置され、前記細線ワイヤ電極の供給手段と引取手段とは一体にユニット化されて前記テーブルに連結固定して取付けられて成ることを特徴とする。
【００１５】
また、本発明の上記ワイヤ放電加工装置（２）は、更に、前記標準ワイヤ電極用と細線ワイヤ電極用の前記各一対のワイヤガイド中の各一方のワイヤガイドが、前記水平面と直交する鉛直軸方向と、該鉛直軸及び加工部位ワイヤ電極軸と直交する水平軸方向とに、夫々位置調整可能に前記テーブルに調整ステージを介して取付けられていることを特徴とする。
【００１６】
また、本発明の上記ワイヤ放電加工装置（２）は、更に、前記標準ワイヤ電極用のワイヤガイドがダイス状ガイドであって、前記細線ワイヤ電極用のワイヤガイドがＶ溝ガイドであって、所望により加工液噴出ノズルが設けられる構成であることを特徴とする。
【００１７】
また、本発明の上記ワイヤ放電加工装置（２）は、更に、前記被加工体を所望複数個格納する被加工体マガジン及び該マガジンが格納する未加工被加工体と加工ヘッドの保持手段に保持された加工済被加工体とを交換する被加工体交換手段とが設けられ、被加工体を順次に交換して加工を実行するものであることを特徴とする。
【００１８】
また、上記の目的を達成するため、本発明のワイヤ放電加工方法は、一対の間隔を置いて配置したワイヤガイド間を走行移動する加工部ワイヤ電極に、該ワイヤ電極軸と略直角な平面方向から、該平面内の一軸を旋回及び割出し可能な軸とし、該軸の軸端に保持された被加工体を相対向させ、該被加工体に所望形状の加工を施すように前記対向方向及び旋回・割出しにつき所定にプログラムされた加工送りを相対的に与えて所定の高速加工と引き続いての仕上げ加工を行なうワイヤ放電加工方法に於て、前記被加工体が懸垂把持された状態に保持手段を加工ヘッドに設けると共に、前記高速加工用の標準ワイヤ電極と仕上げ加工用の細線ワイヤ電極との各加工部が、前記加工ヘッドの保持軸と相対向する加工槽内テーブル面の所定高さ位置に、テーブル面の一軸と互に平行で他の一軸方向に所定の間隔を置いて予め設けられ、前記被加工体を一方の前記標準ワイヤ電極と所望に相対向させ、高速加工の放電加工条件を設定し、プログラムされた加工送りを相対的に与えて所定のワイヤ放電加工をした後、該被加工体を他方の前記細線ワイヤ電極と所望に相対向させ、仕上げ加工の放電加工条件を設定し、プログラムされた所定の加工送りを相対的に与えて所定の仕上げワイヤ放電加工をするようにしたことを特徴とする。
【００１９】
【発明の実施の形態】
以下、本発明の一実施の形態を図面にもとづいて説明する。図１は、本発明の一実施例ワイヤ放電加工装置の全体構成及びその配置を示す正面図で、１は加工機本体、２はコンピュータ制御のワイヤ放電加工用電源及び数値制御装置を含む電源及び制御手段、３は所謂荒加工等の所望の高速加工条件で加工をする際に使用する標準線径（通常φ０．２ｍｍ）のワイヤ電極の供給、引取り、及び回収手段が一体に構成された標準ワイヤ電極の供給・引取手段で、之等は加工機本体１を中心に水平一軸方向の両側に設けられ、また加工機本体１のワイヤ電極加工部の加工槽へ加工液を供給及び回収して浄化処理する加工液供給手段は、前記本体１から供給・引取手段３の後方部等に設けられている。
【００２０】
而して、前記加工機本体１は、ベッド４と水平一軸（左右Ｘ軸）方向の移動台６を支持するサドル５と、べッド４後方上に立てられ前記水平一軸と水平面内に於て直交する軸（前後Ｙ軸）方向の移動ラム８を支持するコラム７等から成る機械フレームから成る。前記移動台６上にはテーブル９が設けられ、他方前記Ｙ軸移動ラム８の前方面には前記テーブル９上面と鉛直（Ｚ軸）に対向して加工ヘッド１０が設けられ、該加工ヘッド１０は下方先端部に被加工体１１を懸垂把持する保持手段１２、該加工ヘッド１０を前記鉛直方向に加工送り及び位置決めする送り手段１３、及び前記保持手段１２を軸の廻りに制御旋回及び割出しする旋回・割出し手段１４を備え、ワイヤ電極加工部走行経路形成手段１５がその上面に設けられる前記テーブル９は、加工時に加工部形成手段１５が加工液浸漬状態となるように前記移動台６と一体に設けられた昇降式加工槽１６が上昇上位に達した時に、前記テーブル９は上記加工槽１６によって囲まれる。１７Ａ，１７Ｂは、前記テーブル９の前記水平一軸方向の両端縁部に設けられたワイヤ電極加工部形成手段１５と標準ワイヤ電極及び後述細線ワイヤ電極の各供給・引取手段３，１８との間の、各複数の案内プーリを有する夫々のワイヤ電極案内引廻し手段である。
【００２１】
また、上記加工機本体１には、前記標準ワイヤ電極使用による所定の荒加工条件での加工後の中仕上げ以上の仕上げ加工の際に使用する細線径（通常φ０．１〜φ０．０５ｍｍまたはそれ以下）のワイヤ電極の供給手段１８Ａと引取り回収手段１８Ｂを一体とした供給・引取手段１８が、テーブル９、従って該テーブル９上のワイヤ電極加工部形成手段１５及び案内手段１７Ａ，１７Ｂと、加工送り等によって位置関係が変化しないように前記テーブル９と一体の枠台１９に取付けてある。２０は、加工ヘッド１０に保持された被加工体１１の加工済及び未加工被加工体１１Ｈの自動交換手段付貯蔵マガジンで、所定必要数の被加工体１１Ｈが交換可能に設けられるものであり、前記ベッド４の側端または後方縁に設けられた台２１に取付けて設けられ、その他の付加設置物、例えば加工済被加工体１１を浸漬または噴霧等により防錆処理する防錆手段は上記台２１に取り付ける等して設けられる。
【００２２】
前記標準ワイヤ電極の供給・引取手段３は、この実施例の場合、供給手段３Ａと引取手段３Ｂと回収手段３Cとが一体となっていて、その一体物が加工機本体１と相対的に移動することがないよう連結手段２２によりベッド４等に結合してあり、前記ワイヤ電極案内手段１７Ａ，１７Ｂを含むワイヤ電極加工部形成手段１５との間は、加工ヘッド１０の被加工体１１との相対位置決め時等以外、特に加工中はテーブル９が水平一軸方向（Ｘ軸）に移動するとその間の距離が変化してワイヤ電極の張力等が変化すると共に、該張力変化による各種の加工障害、さらにはワイヤ電極断線を生ずることになるので、通常、特に加工中は動かさないで使用されるものである。
その点、加工槽１６及びテーブル９が、ベッド４に対して固定されるテーブル固定式で、ラム８がＸ、Ｙ２軸に移動し、加工ヘッド１０がＺ軸に移動する機械フレームの構成の場合には、各ワイヤ電極の供給・引取手段３、１８が、前記一体固定の機械フレームに連結固定されている限り、上述のような問題は生じない。
【００２３】
而して、加工槽１６内テーブル９上のワイヤ電極加工部形成手段１５廻りの張架走行経路及び走行状態等については後に詳述するが、その供給、引取り、及び回収については次の如くである。
標準ワイヤ電極の供給・引取手段３の場合、その供給手段３Ａは、標準ワイヤ電極の貯蔵リールと張架走行のためのブレーキ装置を備えてワイヤ電極を所定に制動制御しながらまたは一定速度で送り出し、加工部の案内手段１７Ａから加工部形成手段１５、そして後述する折返し手段から案内手段１７Ａを経て帰って来たワイヤ電極は、引取手段３Ｂの前記制動制御に対する一定速度引取りまたは一定速度送り出しに対する制御引取りを行ない、回収手段３Ｃのバケットに回収する構成となっているが、コアピン加工の場合被加工体の寸法及びその個数によるが相当な長時間加工になる場合には、前記供給手段３Ａの貯蔵リールを大径のリールを用いる専用の貯蔵供給手段として手段３Ａの送り出し手段に供給するようにするとか、前記貯蔵リールの自動交換または補給手段を設けておくことが好ましい。また標準ワイヤ電極については上述の如くであるから、加工槽１６内で標準ワイヤ電極を折返し走行させることにより加工部形成手段廻り、特にワイヤガイド用ワイヤ電極加工部の前述Ｙ軸方向の相対送り空間が狭くなる場合等には、ワイヤ電極供給手段３Ａに対する引取手段３Ｂ及び回収手段３Ｃは加工機本体１の反対側等適宜の位置に設けられるものである。
之に対し、細線ワイヤ電極用の供給・引取手段１８の場合、前記供給手段１８Ａと引取手段１８Ｂとを常に一体として加工機本体１の水平一軸（加工部電極軸、Ｘ線）方向の一方の端部に設ける必要はないが、供給手段１８Ａ及び巻取リールでも良い回収手段を備える引取手段１８Ｂとは、夫々加工部形成手段１５と位置決め送り等の位置移動によって相対位置が変化しない同一物、図示の場合テーブル９に固定保持されていることが、断線事故防止及び加工寸法精度を出すためにも必要である。
【００２４】
また、２９は、前記電源及び制御手段２と、加工機本体１及び標準・細線ワイヤ電極の各供給・引取手段３、１８、或いは更に図示しない加工液供給手段との間に設けられる前記制御手段２が制御する切換手段で、荒加工から仕上げ加工等の順次の加工の切換に際し、プログラム等により指定して設定されたワイヤ電極の供給・引取手段の作動制御への切換や選定されたワイヤ電極と被加工体１１間へのプログラム等された加工条件の電圧パルスの印加給電制御への切換、及びその他の切換え設定を司るものである。
【００２５】
図２は加工機本体１の加工槽１６内またはテーブル９上の前記標準及び細線ワイヤ電極用の各供給・引取手段３，１８との間の導入導出の案内手段１７Ａ，１７Ｂを含むワイヤ電極加工部形成手段１５廻りの説明用上面図で、加工槽１６のテーブル９上には、標準ワイヤ電極２３用と細線ワイヤ電極２４用の各一対のガイドブロック２３Ａ，２３Ｂ、２４Ａ，２４Ｂを水平一軸（Ｘ軸）方向に所定の間隔を置いてかつ互に平行に取付けるための一対のベース２５Ａ，２５Ｂが設けられている。前記標準ワイヤ電極２３用と細線ワイヤ電極２４用の各一対のガイドブロック中の各１個のガイドブロック２３Ａ，２４Ａは、前記取付けベース中の一方のベース２５Ａに位置決め固定して取付けられるが、他方のガイドブロック２３Ｂ，２４Ｂは、各ワイヤ電極２３，２４軸と直角な水平の鉛直方向と平行の水平Ｙ軸方向の微細位置の調整設定が可能なステージ２３Ｃ，２４Ｃを介してベース２５Ｂに取付けられており、ガイドブロック２３Ａ，２３Ｂ間、２４Ａ，２４Ｂ間の加工部ワイヤ電極２３，２４の前述高さの水平、左右または前後の平行が調整設定される。前記各ガイドブロックは、図示実施例の場合、ワイヤガイドとして標準ワイヤ電極２３用にダイス状ガイド２３Ｄを、また細線ワイヤ電極２４用としてＶ溝ガイド２４Ｄが設けられ、さらに各ワイヤ電極２３，２４と接触して給電する給電子２３Ｅ，２４Ｅが設けられ、該各給電子２３Ｅ，２４Ｅには、加工電源から所定高速加工用及び仕上げ加工用の電圧パルスが給電線により加工槽電源ターミナル２６Ａ，２６Ｂから図示しないガイドブロック部各給電端子を介して給電される。
【００２６】
次に、各標準及び細線各ワイヤ電極２３，２４の張架走行構成について説明すると、前記標準ワイヤ電極２３の場合、前述図１及び後述標準ワイヤ電極による加工部廻りを説明する正面図の図３を同時に参照するに、標準ワイヤ電極の供給手段３Ａから所定に制動を制御しながら送り出された標準ワイヤ電極２３は、適宜必要に応じて設けられた案内経路の案内プーリを介して加工槽１６及び／またはテーブル９に固定して設けた案内手段１７Ａに到り、該案内手段１７Ａに設けた導入及び方向変更案内プーリ２７Ａにより下向に誘導し、もう１つの方向変更案内プーリ２７Ｂによって一方のガイドブロック２３Ａへ導入位置決めし、他方のガイドブロック２３Ｂへと送り出し、挿通し、該ガイドブロック２３Ｂ後方の折返し案内プーリ２７Ｃにより経路を返転させて前記案内手段１７Ａの方向変更プーリ２７Ｄ，２７Ｅにより順次及び所望に経路を変更させた後、引取手段３Ｂにより、前記供給手段３Ａの制動制御に対する一定速度引取りを行ない、回収手段３Ｃのバケットに回収し、前記ガイドブロック２３Ａ，２３Ｂ間で、所定の張力が付与された状態で、所定の速度で走行更新される標準ワイヤ電極２３による加工部が形成される。
【００２７】
また、細線ワイヤ電極２４は上述標準ワイヤ電極２３の場合と、ワイヤ電極の供給・引取手段１８、及び一対のガイドブロック２４Ａ，２４Ｂ等の各具体的な構成等が相違する他はほぼ同様で、前述図１及び後述細線ワイヤ電極２４による加工部廻りを説明する正面図の図４を同時に参照することにより明らかなので重複を避けるため説明は省略する。なお、２４Ｆ，２４Ｇは案内ローラであり、また案内手段１７Ｂの方向変更案内プーリの数、配置等に前述のものと微差があるが、実質的には変わりがないものである。
【００２８】
図５の５Ａ，５Ｂ、及び図６の６Ａ，６Ｂは、標準ワイヤ電極用と細線ワイヤ電極用の各ガイドブロック中、位置調整ステージ２３Ｃ，２４Ｃを介してベース２５Ｂに取付けた側の各ガイドブロック２３Ｂ，２４Ｂ廻りの拡大上面図と正面図で、前記各ステージ２３Ｃ，２４Ｃの水平方向の調整手段２３Ｃ−Ｈ，２４Ｃ−Ｈと、垂直方向の調整手段２３Ｃ−Ｖ，２４Ｃ−Ｖの設置状況が示されている。
【００２９】
このように構成されたワイヤ放電加工装置に於ては、加工ヘッド１０の保持手段１２に懸垂保持された直方体状等の適宜の形状の被加工体１１を次のようにして加工成形して行きコアピンを得るものである。
なお、必要により更なる自動化等も不可能ではないが、ワイヤ放電加工の開始時点以後は、予めのプログラムにより加工は順次に自動的に進行するものとする。
【００３０】
先ず、各標準及び細線ワイヤ電極２３，２４の各ガイドブロック２３Ａと２３Ｂ、及び２４Ａと２４Ｂ間の加工部ワイヤ電極２３，２４間の間隔と各水平度（鉛直軸に対する）、及び相互平行度をレーザ等所定測定器及び各ステージ２３Ｃ， ２４Ｃの垂直及び水平調整手段２３Ｃ−Ｖ，２３Ｃ−Ｈ，２４Ｃ−Ｖ，２４Ｃ−Ｈにて出す。
次に、標準ワイヤ電極２３と細線ワイヤ電極２４の各残量が、プログラムした加工をするのに充分かどうかを確かめ、不足するワイヤ電極がある場合には、新しいワイヤ電極リールと交換する。
各ワイヤ電極２３，２４を夫々の張架走行経路中に挿通セットすると共にプログラムされたワイヤ放電加工の条件の張力及び走行速度で走行するように各ワイヤ電極２３，２４の走行条件をセットし、プログラムのスタート及び進行により、プログラム選定された側のワイヤ電極が選択されると共に所定張架状態で、走行をするようにプログラムセットする。
【００３１】
適宜のシャンク等に取付けた被加工体１１を必要個数マガジン２０に設置し、プログラムで選定した被加工体を図示しない交換手段で、保持手段１２に懸垂把持させ、取付及び送りに対する垂直度と、旋回・割出し手段１４に対するオリエンテーション調整、及び、標準ワイヤ電極２３、細線ワイヤ電極２４に対する位置出し、プログラム加工スタート位置への位置決め等を、テーブル９、加工槽１６等の基準位置、基準球等の治具、または加工部ワイヤ電極２３および細線ワイヤ電極２４との接触検知や、測定器具により測定して行なう。
【００３２】
特に２本のワイヤ電極の何れかによって被加工体が放電加工される本発明では、各ワイヤ電極と被加工体との位置が以下のように検出、記憶され、利用される。 （１）２つのワイヤ電極径を入力する。（２）被加工体の加工面を１つのワイヤ電極に正対させるように調整する。（３）被加工体の両面を加工する場合、加工面に垂直な断面方向の厚みと中心位置を算出する。１つのワイヤ電極に対して両側から接触感知して、被加工体のその位置を検出し、そのデータに基づいて演算して求める（片面加工の場合の説明は省略する）。（４）他の加工面があれば、この加工面をワイヤ電極に正対させるように割り出してから、同様にして垂直な断面方向の厚みと中心位置を算出する。（５）２つのワイヤ電極間の距離およびワイヤ電極と被加工体との位置関係を接触感知によって検出し、これを表示する。こうしておけば、それぞれのワイヤ電極に対して被加工体をアプローチして加工する移動軌跡を補間制御するプログラムを作成するときに、それぞれのワイヤ電極についての座標系をワイヤ電極間の距離を参照して設定し、それぞれの座標系の上でそれぞれの加工プログラムを作成する。荒加工と仕上げ加工との加工軌跡は、上述した微細なインコーナＲ等の加工部位の加工軌跡が若干異なる他、ほとんど同一であるからプログラムが容易に作成することができる。もちろん、セカンド加工以降の加工は、細線の座標系で加工され、加工条件も異なる。
【００３３】
前述予めの加工プログラムによって、ワイヤ電極として標準ワイヤ電極２３が選定されて所望の高速荒加工が行なわれる場合には、加工電圧パルス条件が標準ワイヤ電極２３に供給されるように、また細線ワイヤ電極２４が切換．選定されて所定の仕上げ加工が行なわれる際には、その仕上げ加工条件の電圧パルスが細線ワイヤ電極２４に供給されるように電源及び制御手段２は放電加工電力の供給を切り換える。
【００３４】
このように、本発明の放電加工は２種類のワイヤ電極２３、２４の何れかが使用される態様となるので、例えば該当する加工プログラムの先頭に識別コード等を付加して、加工プログラム上でワイヤ電極が指定されるようになっているのが好ましく、この指定に従って指定されたワイヤ電極の供給・引取手段３または１８に制御手段２から指令信号が送られ、ワイヤ電極の送行速度及び張力が設定制御され、指令に従う加工条件の放電パルスを生じさせる電圧パルスが指定されたワイヤ電極と被加工体１１間の極間に供給印加される。
【００３５】
前述のように被加工体１１を標準ワイヤ電極２３に対して、加工スタート位置にセットし、加工槽１６を所定位置迄上昇セットし、図示しない加工液供給装置から水系または鉱物油系の加工液を、ガイドブロック２３Ａ，２３Ｂ間標準ワイヤ電極２３加工部、及び該加工部ワイヤ電極２３と相対向して加工される被加工体１１部分、特にその放電間隙部分が好ましくは常時加工液中浸漬状態にあるように、加工液は循環供給される。図示実施例の場合、標準ワイヤ電極用のガイドブロック２３Ａ，２３Ｂは、ワイヤ電極２３に同軸な加工液噴出ノズルとして使用され得る構成となっていて、高速加工の効率を更に上げることができる。また、例えば、被加工体１１を懸垂軸と直角な水平（Ｙ軸）方向に送って加工をする場合には、水平に形成される加工溝からの加工屑の排出が不良となって、加工の安定度が悪くなり、加工が遅くなって加工精度等も悪化するから、かかる場合には、例えば、ガイドブロック２４Ａ，２４Ｂの側部等に放電間隙に指向させた加工液噴出ノズルを設けるようにすることが推奨される。もちろん、前記ノズル２４Ａ、２４Ｂは、加工部ワイヤ電極２４に同軸のノズルが好ましくガイドブロック２３Ａ、２３Ｂと同様なものであってもよい。
【００３６】
以上のように加工の段取りをした図７の被加工体素材１１に対するワイヤ放電加工の進行状況について図７を参照しつつ説明すると、加工プログラムのスタートにより加工電極として標準ワイヤ電極２３が選定され、供給手段３Ａと引取手段３Ｂ間で所定の張力付与状態で、所定の速度の走行が開始され、該標準ワイヤ電極２３と被加工体１１間には所定の高速度加工の加工電源出力が接続供給され、また加工液が加工槽１６内所定液位置を維持するように供給充填、さらには循環及びノズル噴流が行なわれる状態となり、この時被加工体１１は先の位置決め及び加工準備作業により、加工を開始する面Ａが、ガイドブロック２３Ａ，２３Ｂの走行する加工部ワイヤ電極２３と平行で、被加工体１１先端下面Ｅよりも僅かに下方の、かつ前記面Ａを加工成形するワイヤ電極２３軸と直角方向の所定寸法位置にある。
【００３７】
ここで、加工スタート釦を押す等して加工を開始させると、プログラムに従い被加工体１１は、Ｚ軸方向の下降送りが与えられ、ワイヤ電極２３との接近により間歇放電が始まって荒加工が開始される。加工が進行して前記面Ａの円弧面Ｒの形成位置に達すると、前記被加工体１１に対する下降送りに対する所定割合の面Ａに直角なＹ軸方向の送りがワイヤ電極２３との間に与えられ、円弧面Ｒが加工成形され加工はさらに面Ａの所定上部位置迄前記下降送りにより継続される。加工が所定部位に達すると、Ａ面加工プログラムは終了し、送りを停止すると共に加工電圧印加を中断し、そしてこの時必要に応じてワイヤ電極２３の走行及び加工液の供給等をも中断し、プログラムの実行により加工ヘッド１０は加工時の下降送りの経路を逆に辿って上昇し、前述加工開始前の位置まで上昇位置して停止する。上述の場合、被加工体１１の面Ａの表層部は、通常荒加工の段階で、切り離し落下させる加工の態様とすると、中子処理手段等の特別な手段及び操作を要しないので好ましいものである。
そして、この場合、面Ａ及びＣの加工の場合も同様な場合があるが、面Ｂ、Ｄ、及びＥの加工は、該各面が所定の寸法となる或る厚さの薄板を切取る加工か、または表面からワイヤ電極の径より小さい或る厚さの表面層を加工除去する加工となる場合があるが、上記切取り加工の場合、前述のように、切り離し片として落下させることにより中子処理を必要としない。そして、このことは、ワイヤ電極を水平面に沿って張架走行させるのに対し、軸の廻りに旋回・割出し可能な昇降鉛直軸に被加工体を懸垂把持させて相対向させ、前記鉛直軸と対向方向に直角な２軸方向との相対送りによる本発明に於ける加工の態様が、前述段落［０００５］〜［０００６］で説明した鉛直ワイヤ電極に対して水平軸回動の被加工体治具を使用する構成の加工の態様に比較して優れた特徴があることが判る。
【００３８】
次いでプログラムの実行により、旋回・割出し手段１４を駆動して９０°割出し、面Ｂをワイヤ電極２３加工部と平行にすると共に該面Ｂに直角なＹ軸方向の位置決めをし、ワイヤ電極２３の走行、加工電圧の給電及び加工液の供給を再開し、加工ヘッド１０のＺ軸方向下降送りによる面Ｂの所定成形加工を開始する。このようにして各面Ｂ，Ｃ，Ｄをプログラムに従って順次に割出し及び位置決めして各面を標準ワイヤ電極２３の使用による所定の高速の放電加工条件で加工成形して行き、そして通常は最後に先端下面Ｅの寸法及び平坦度出し加工を行ない標準ワイヤ電極２３による加工は終了する。
【００３９】
而して、次は細線ワイヤ電極２４により前述高速放電加工による加工面Ａ，Ｂ，Ｃ，Ｄ，Ｅの寸法精度、及び面粗度の仕上げ加工に移行する訳であるが、前記面Ｅの荒加工等の高速加工による加工の終了後、プログラムにより自動で、または一部以上を手動により、加工電圧の給電を荒加工等の高速加工から所定仕上げ加工条件と、しかも細線ワイヤ電極２４と被加工体１１間の給電に切換えると共に、標準ワイヤ電極２３の走行を停止し、細線ワイヤ電極２４の所定の張力付与及び速度での走行を開始させる。そして、加工液は当該仕上げ加工が、単なる浸漬加工であれば、ガイドブロック２３Ａ，２３Ｂからの加工液のノズル噴射を停止して、所定量の循環供給を行なうようにすれば良いが、細線用ワイヤ電極２４による仕上げ加工に同軸またはその他の付設ノズル等を用いる必要がある場合には、当然に架設して用いられるものである。
上記細線ワイヤ電極２４の加工部は、前加工工程の標準ワイヤ電極２３の加工部と平行で、また通常は同一水平面上に在って間隔等位置の寸法関係がはっきりしている所から、前記標準ワイヤ電極２３に対して位置決め加工された被加工体１１の細線ワイヤ電極２４に対する位置決めをＮＣプログラム等により行なうことは、放電加工条件の違いによる極間距離の違いの補正等は必要なものの、比較的容易であって、上記荒加工等の高速加工の終了後細線ワイヤ電極２４による仕上げ加工に、短時間の内に容易に切換え移行することができ、前述標準ワイヤ電極２３による荒加工による場合とほぼ同様にして、各面Ａ，Ｂ，Ｃ，Ｄ，及びＥを順次に割出し、及び位置決めを繰り返して、使用ワイヤ電極の細線径の寸法に応じた角Ｒの形状を有すると共に、当該ワイヤ放電加工の寸法精度、及び設定仕上げ放電加工条件の微細面粗度に仕上げることができる。
【００４０】
以上は、図８のＡ図に示したコアピンを加工、成形、切出しする素材の外周５面の加工、成形加工であって、前記コアピンを作成するには、さらに図９により説明した溝１１Ｃ切りによる列状コア１１Ｄの形成加工、該列状コア部から胴部１１Ｂにかけての切込み１１Ｅ加工を順次に、標準ワイヤ電極２３による所定高速加工と、細線ワイヤ電極２４による仕上げ加工とに工程を分けて前述した外周成形加工の場合と同様コアピンを精密に加工成形して仕上げることができる。
そして、通常ここで、標準ワイヤ電極２３により適宜の放電加工条件で、または標準ワイヤ電極２３と細線ワイヤ電極２４とを使用する荒加工と仕上げ加工との組合せ加工により、切離し加工部１１Ｆから切離されて落下回収されることになるが、所望により、微小切残し部を残した状態として切離しを別の後工程により行なうようにすることもできる。そして、何れにしてもここで、被加工体１１の加工残り掴み代部１１Ａ、または被加工体を図示しない交換手段により加工ヘッド１０の保持手段１２から取り外してマガジン２０の所定ホルダに保持させ、プログラムにより指定したホルダから次に加工すべき被加工体１１Ｈを取出し、前記保持手段１２に取付け、以後は前述段落番号〔００２９〕以後の作業及びワイヤ放電加工を、マガジン２０内の未加工被加工体が無くなる迄、標準ワイヤ電極２３及び／または、細線ワイヤ電極２４を適宜補給しながら繰返すのである。
【００４１】
以上本発明を図示した実施例により説明を加えたが、特許請求の範囲に記載する本発明の精神を逸脱しない範囲で、各部へ各種の変更を加えての実施が可能なものである。   例えば、加工対象の被加工体としては、プレス加工に用いる円弧状の座（カキアゲ部）の付いたＲ座付きパンチ（通称カキアゲパンチ）の如きものに適用できるだけでなく、被加工体が軸の廻りに割出し制御が可能な加工ヘッド１０に保持されている所から、標準及び細線ワイヤ電極の各一対のガイドブロックに所謂Ｕ軸及びＶ軸移動及び制御手段を設けなくても、任意の大角度でのテーパ加工が可能である。また標準ワイヤ電極による所定高速のワイヤ放電加工と細線ワイヤ電極による所定精度及び仕上げ面粗度の仕上げワイヤ放電加工との両方または何れか一方を２工程またはそれ以上の複数工程の加工、例えば、前者の場合荒加工と中加工、また後者の場合中仕上げ加工と仕上げ加工、または仕上げ加工を超仕上げ加工として加工目的の達成確度を高めることができる。また標準及び細線各ワイヤ電極の位置決め用のワイヤガイドとしても開閉形式のダイス状ガイドとかＶ−平ガイド等を選定使用することができるだけでなく、機械フレームのＸ，Ｙ，Ｚの直交３軸方向の相対移動、及び旋回・割出し手段の相対移動の構成も図示説明のものに限定されるものでないことも明らかである。そして、テーブル９をベッドに固定して、加工ヘッド１０をＸ、Ｙ、Ｚの３軸に移動する機械構成と成し得ること既に述べた通りである。
【００４２】
なお、前述実施例のワイヤ放電加工装置に於けるＸ，Ｙ、及びＺの移動軸の制御の好ましい設定制御の態様を示すと次の如くである。通常のワイヤ放電加工機の加工プログラムに於ては、加工輪郭形状がＸ，Ｙ平面上において定義されている。然るに前述本発明実施例のワイヤ放電加工機では、ワイヤ電極２３、２４の各走行経路形成手段１５によって形成される加工部ワイヤ電極の軸が従来機のＸ軸と平行である所から、加工プログラム上のＸＹ水平面上での加工輪郭形状の補間が、従来機のＹＺ平面上での補間として行われるように、各移動制御軸を、元Ｘ→新Ｚ、元Ｙ→新Ｘ、及び元Ｚ→新Yと入れ替えた工作機械の右手直交座標系に切換えて制御に供するようにすることが好ましい（図７参照）。この場合、座標系は、所望により切換え可能としてあってもよい。
【００４３】
【発明の効果】
以上詳細に説明したように、本発明の請求項１の発明によれば、走行移動するワイヤ電極と被加工体との加工液が介在する微小間隙で間歇的な放電を繰り返し発生させて加工するワイヤ放電加工装置に於て、ベッド、コラム等から成る機械のフレームと、前記フレームにＸ，Ｙ，Ｚの直交３軸方向に相対的に移動可能に設けられる、前記被加工体を懸垂把持する被加工体保持手段と、前記ワイヤ電極による加工部を形成する各一対のワイヤ電極の位置決めガイドを標準ワイヤ電極用と細線ワイヤ電極用との２組を前記加工部ワイヤ電極が水平一軸方向に平行に位置するように取り付けられたテーブルと、該テーブルを収納する加工槽と、前記標準ワイヤ電極に所定の張力を付与させた状態で前記加工部を走行移動させるワイヤ電極の供給手段と引取手段と、該標準ワイヤ電極用の供給・引取手段と切換選択作動可能に設けられる前記細線ワイヤ電極用の供給手段と引取手段と、前記標準ワイヤ電極加工部と保持手段の被加工体間に所定高速加工条件の加工放電電力を加工電源から供給する給電手段と、該高速加工用給電手段と切換選択可能に設けられる前記細線ワイヤ電極と被加工体間に所定仕上げ加工条件の加工放電電力を供給する給電手段と、前記加工槽に制御された加工液を供給循環させる加工液供給手段と、前記被加工体保持手段は、その軸線の方向が前記標準及び細線ワイヤ電極の加工部電極軸と直交するように設けられ、また前記被加工体保持手段と前記２組の位置決めガイドが設けられたテーブルとを、前記直交軸の廻りに相対的に旋回及び割出し可能に設ける旋回・割出手段と、前記被加工体に所望形状の加工を施すように加工の工程に於て選定された前記走行ワイヤ電極と前記被加工体との間に相対送りを行なわせる制御送り手段と、前記ワイヤ電極の切換選択及び選択されたワイヤ電極の供給・引取手段、前記加工放電電力の切換選択給電手段、加工液供給手段、及び前記被加工体保持手段と前記加工槽の選択されたワイヤ電極の位置決めガイド加工部間の前記旋回・割出しを含む相対送り手段と、を制御する数値制御装置を含む制御手段とを設けたから、加工成形のワイヤ放電加工は、先ず標準線径のワイヤ電極を使用して所望の高速加工で行なわれ、次いで加工面粗度及び形状精度が要求される仕上げワイヤ放電加工が細線ワイヤ電極を使用する所望仕上げ加工で行なわれると共に、その高速と仕上げの切換えはワイヤ電極を張架交換するのではなく、相互に位置関係を決めて張架走行可能に設けた標準ワイヤ電極と細線ワイヤ電極とに対する被加工体の移動によって行なわれるから、高速、短時間で目的の加工をすることができ、しかも前記標準及び細線の各ワイヤ電極は、加工槽内を水平で平行に走行するように張架され、之等の両ワイヤ電極に対し、被加工体が、前記水平に対し直角方向に相対的に加工送りが与えられる加工ヘッドに軸の廻りの制御旋回及び割出し可能に保持して設けられるので、複数個の被加工物を予め貯蔵して置いて次々と新たな被加工体に変換して加工することが可能容易となり、金型用コアピン等大量品の高寸法、形状加工に有効である。
【００４４】
また、本発明の請求項３の発明によれば、細線ワイヤ電極の供給及び引取手段の配置として実施すると、テーブル及び加工槽がＸ軸方向に移動する機械構成の場合に、段取り作業等でテーブルを移動させてもワイヤ電極の切断が生ずることがなく、また、標準ワイヤ電極と細線ワイヤ電極の両方または一方の供給と引取りを加工機本体の左または右側の一方の側に於て操作調整ができるから作業性が良い。
【００４５】
また、本発明によれば、前項同様細線ワイヤ電極の切断事故が生ぜず、また、標準ワイヤ電極と細線ワイヤ電極の各供給手段と引取手段とが加工機本体の左右等に分かれて設けられるので夫々のワイヤ電極についての作業性が改善される。
【００４６】
また、本発明によれば、各ワイヤ電極の供給手段と引取手段が一体に構成されるのでコンパクトになると共に細線ワイヤ電極用の上記一体構成体が、テーブルまたは加工槽に取付けられ、ワイヤ電極加工部と一体となるから、Ｘ，Ｙ，Ｚ３軸等の相対移動によって供給・引取手段とワイヤ電極加工部間の相対位置の変化がなく、前記軸移動による張力変化や断線は生じない。
【００４７】
また、本発明によれば、標準ワイヤ電極と細線ワイヤ電極のワイヤガイド間加工部、各所望に水平に、また相互に平行に所定の位置関係に調整し て形成させることができる。
【００４８】
また、本発明によれば、標準ワイヤ電極と細線ワイヤ電極を夫々好適に位置決めガイドできると共に加工効率を上げさせることができる。
【００４９】
また、本発明によれば、加工ヘッドの保持手段に被加工体を懸垂把持させて、被加工体マガジンとの間で自動交換するようにしたから、交換パレット等を使用するものに比較してコンパクトが交換時間も短くでき加工効率を上げることができる。
【００５０】
また、本発明のワイヤ放電加工方法によれば、本発明のワイヤ放電加工装置を用いて、金型用のコアピン等を効率よく加工して行くことができる。
【図面の簡単な説明】
【図１】   本発明の一実施例ワイヤ放電加工装置の全体構成及びその配置を示す正面図。
【図２】   加工機本体の加工槽内の配置、構成物を説明するための上面図。
【図３】   標準ワイヤ電極加工部廻りを説明するための正面図。
【図４】   細線ワイヤ電極加工部廻りを説明するための正面図。
【図５】   標準ワイヤ電極用ガイドブロックの案内、支持構成を示す上面図と正面図。
【図６】   細線ワイヤ電極用ガイドブロックの案内、支持構成を示す上面図と正面図。
【図７】   一例の被加工体の斜視図で、加工仕方の説明図。
【図８】   Ａ：本発明の加工成形の対象となるコアピンの部分斜視図。   Ｂ：他のコアピン例の斜視図。   Ｃ：また他のコアピン例の斜視図。
【図９】   直方体の被加工体を順次に加工をして行く態様を説明する斜視図。
【符号の説明】
１    加工機本体
２    電源及び制御手段
３    標準ワイヤ電極の供給・引取手段
４    ベッド
５    サドル
６    移動台
７    コラム
８    移動ラム
９    テーブル
１０    加工ヘッド
１１    被加工体
１２    保持手段
１３    送り手段
１４    旋回・割出し手段
１５    加工部走行経路形成手段
１６    加工槽
１７Ａ，１７Ｂ    案内手段
１８    細線ワイヤ電極の供給・引取手段
１９    枠台
２０    被加工体マガジン
２１    台
２２    連結手段
２３    標準ワイヤ電極
２４    細線ワイヤ電極
２３Ａ，２３Ｂ    標準ワイヤ電極のガイドブロック
２４Ａ，２４Ｂ    細線ワイヤ電極のガイドブロック
２５Ａ，２５Ｂ    取付けベース
２３Ｃ，２４Ｃ    ステージ
２３Ｄ，２４Ｄ    ガイド
２３Ｅ，２４Ｅ    給電子
２６Ａ，２６Ｂ    電源ターミナル
２７Ａ，２７Ｂ，２７Ｃ，２７Ｄ，２７Ｅ    案内、方向変更プーリ
２８Ａ，２８Ｂ，２８Ｃ，２８Ｄ，２８Ｅ    案内、方向変更プーリ
２４Ｆ，２４Ｇ    案内ローラ
２３Ｃ−Ｖ，２４Ｃ−Ｖ    垂直方向調整手段
２３Ｃ−Ｈ，２４Ｃ−Ｈ    水平方向調整手段
２９    切換手段
【図１】
0004247932.tif 000002
【図２】
0004247932.tif 000003
【図３】
0004247932.tif 000004
【図４】
0004247932.tif 000005
【図５】
0004247932.tif 000006
【図６】
0004247932.tif 000007
【図７】
0004247932.tif 000008
【図８】
0004247932.tif 000009
【図９】
0004247932.tif 000010